(57)【要約】      （修正有）【課題】電話機の動作状態とデータ設定を関連付けることにより、データ設定にかかる時間と労力を軽減し、簡単に目的のデータ設定ができる電話装置を提供する。【解決手段】電話機の各動作状態に係る状態や日時、相手電話番号等の情報を履歴情報としてを記憶し（Ｆ４０２）、データ設定ボタンを押した時（Ｆ４０３，Ｙｅｓ）、現在の状態に関連するデータ設定項目を抽出し表示する（Ｆ４０９）。また、着信中等の後から設定の場合は待機中状態に戻った後に、蓄積されている履歴情報を元に過去の状態に対応したデータ設定項目を抽出し表示させ（Ｆ４１０）、その状態で選択したデータ設定項目を設定する（Ｆ４１１）。【選択図】図４
2008219682.tif 000002
【特許請求の範囲】
【請求項１】
設定項目に係わる設定操作ガイダンス機能付き電話装置であって、
自装置の動作状態を管理する動作状態管理手段と、自装置の動作状態と関連付けて設定項目を管理し所定の設定項目を抽出する設定項目抽出手段と、指定された設定項目の説明または設定方法を表示する設定項目表示手段と、指定された設定項目を実行する設定項目実行手段を有し、
前記動作状態管理手段は自装置の現在の動作状態に至る過去の動作状態の履歴を記憶し、前記設定項目抽出手段は、自装置の現在の動作状態または操作者が指定する過去の動作状態に関連付けられた設定項目を抽出し、前記設定項目表示手段は、前記設定項目抽出手段が抽出した設定項目を表示し、前記設定項目実行手段は、前記設定項目表示手段が表示している設定項目から特定の設定項目が指定された場合に当該設定項目を実行することを特徴とする簡易設定機能を有する電話装置。
【請求項２】
請求項１に記載の電話装置であって、
前記動作状態管理手段は自装置の現在の動作状態に至る過去の動作状態の履歴と前記過去の動作状態における通信相手データを蓄積し、前記指定された設定項目に通信相手データが必要な場合、前記設定項目実行手段は、当該設定項目を指定した時の過去の動作状態における通信相手データを使用して当該設定項目を実行することを特徴とする簡易設定機能を有する電話装置。
【発明の詳細な説明】
【技術分野】
【０００１】
本発明は、各種の動作モードやデータ登録を簡単に設定できる電話装置に関するものである。
【背景技術】
【０００２】
従来の電話機において、着信音の選択や、時計カレンダー設定、着信拒否設定などの各種機能の動作モードをユーザが設定操作するには、待機中に表示画面をデータ設定の画面に遷移させてから、階層化されている設定項目を選択して設定するのが通例であった。
【０００３】
しかし、従来の各種機能の設定操作方法では、表示画面をデータ設定画面に遷移させるまでに、階層化された多くのメニューツリーを順に選択するため、目的の設定項目の画面にたどり着くのに多大な時間と労力を要するという欠点があった。
【０００４】
この従来の電話機の設定操作方法を改善する方法として、特許文献１では、階層をメニューアイコン化し視覚的にその階層構造の概要を把握させ、階層位置カーソルにてジョグダイヤルの操作量及び操作方向に従って、該当データ設定項目に移動し選択することで、階層間のカーソル移動を改善している。
【特許文献１】特開２００４−２９５６００号公報
【発明の開示】
【発明が解決しようとする課題】
【０００５】
ユーザが電話機の設定項目を変更または追加するのは、実際に当該電話機を使用中にその必要性を認識し、使用後に当該設定項目を変更または追加することが多い。しかしながら、特許文献１においても、目的とするデータ設定項目を探し出すにはジョグダイヤルを頻繁に操作しなければならず、操作性の改善は十分とは言えない。
【０００６】
本発明が解決しようとする課題は、使用中の電話機の動作状態とデータ設定を関連付けることにより、階層化された設定項目の多くのメニューツリーを順に追わなくても、簡単に目的とする設定項目のデータ設定が可能な電話装置を提供することにある。
【課題を解決するための手段】
【０００７】
上記課題を解決するために、第１の発明は、設定項目に係わる設定操作ガイダンス機能付き電話装置であって、自装置の動作状態を管理する動作状態管理手段と、自装置の動作状態と関連付けて設定項目を管理し所定の設定項目を抽出する設定項目抽出手段と、指定された設定項目の説明または設定方法を表示する設定項目表示手段と、指定された設定項目を実行する設定項目実行手段を有し、前記動作状態管理手段は自装置の現在の動作状態に至る過去の動作状態の履歴を記憶し、前記設定項目抽出手段は、自装置の現在の動作状態または操作者が指定する過去の動作状態に関連付けられた設定項目を抽出し、前記設定項目表示手段は、前記設定項目抽出手段が抽出した設定項目を表示し、前記設定項目実行手段は、前記設定項目表示手段が表示している設定項目から特定の設定項目が指定された場合に当該設定項目を実行することを特徴とする。
【０００８】
上記課題を解決するために、第２の発明は、請求項１に記載の電話装置であって、前記動作状態管理手段は自装置の現在の動作状態に至る過去の動作状態の履歴と前記過去の動作状態における通信相手データを蓄積し、前記指定された設定項目に通信相手データが必要な場合、前記設定項目実行手段は、当該設定項目を指定した時の過去の動作状態における通信相手データを使用して当該設定項目を実行することを特徴とする。
【発明の効果】
【０００９】
本発明によれば、電話機を使用しているまたは使用直後の動作状態に関連するデータ設定項目が予め抽出されるので、階層化された設定項目のメニューツリーを最初から順を追って所望の設定項目を探し出す手間が無い。また、着信中の状態など、すぐに次状態に遷移する場合であっても、後から過去の動作状態に係るデータ設定ができる。
【発明を実施するための最良の形態】
【００１０】
以下、本発明の実施形態を図面に基づき説明する。図１は本発明の実施形態に係る電話装置の外観図である。図１において、１は本発明による電話機、２は表示部、３はハンドセット、４はダイヤルボタン、５１はデータ設定ボタン、５２はおまかせ設定ボタン、６は表示部２に表示中の項目を選択するポインタを移動させる十字ボタン、７は選択した項目を決定する決定ボタンである。この電話機１は、使用中にデータ設定ボタン５１を押下することにより、電話帳登録、着信音関係等の各種のデータ登録や動作条件を簡単に設定できる。
【００１１】
図２は本発明の構成を示す機能ブロック図である。８は電話機１の全体制御をする制御部、８１は各動作状態に関連したデータ設定項目を抽出する設定項目抽出部、８２は動作状態を監視する状態監視部、１１はアナログ電話回線やデジタル電話回線またはＩＰ電話回線等の公衆網に接続する公衆回線接続部、１２は表示部２の表示内容を制御する表示制御部、１３は状態監視部８２からの動作状態や、その時の通信相手データ、通信日時、通話時間、着信回数、発信回数を記憶する過去状態履歴記憶部である。
【００１２】
図３は電話機１の動作状態の遷移図であって、各動作状態における表示部２に表示される設定項目例を示している。
【００１３】
Ｓ３００は待機中の状態であって、この状態に関連付けられた設定項目としては、カレンダー時計設定、ＬＣＤ濃度設定、バックライト設定、キータッチトーン設定等である。
【００１４】
Ｓ３１０は発信中の状態であって、この状態に関連付けられた設定項目としては、電話帳登録、ダイヤリング種別設定、ダイヤル押下音設定、発信履歴保存設定等である。これにより、例えば、ダイヤルした相手の電話番号を電話帳に登録したり、その相手の電話番号を発信履歴に残すか否か等を効率的に設定できる。
【００１５】
Ｓ３２０は着信中の状態であって、この状態に関連付けられた設定項目としては、着信時の鳴動楽曲（着メロ）設定、着信音量設定、着信拒否設定、着信履歴保存設定等である。これにより、例えば、相手毎の着メロ設定等を効率的に設定できる。ただし、当該着信には直ぐに応答して通話中（Ｓ３３０）とするため、着メロの選択，設定等を実施する余裕がない。これに対しては、この過去の着信状態（Ｓ３２０）の履歴が、その時の相手の情報も含め過去状態履歴記憶部１３に記憶されているので、通話終了後の時間に余裕のある時にその過去の状態の履歴情報を表示部２に表示させて改めて所望のデータ設定を実施すればよい。
【００１６】
Ｓ３３０は通話中の状態であって、この状態に関連付けられた設定項目としては、料金表示設定、受話音量設定、ＩＰ通話品質設定、長時間通話警報タイマ等である。
【００１７】
Ｓ３４０〜Ｓ３６０はメール関連の状態である。Ｓ３６０はメール作成中の状態であって、この状態に関連付けられた設定項目としては、メールアドレス登録、セキュリティ設定等である。Ｓ３５０はメール送信中の状態である。Ｓ３６０はメール着信中の状態であって、この状態に関連付けられた設定項目としては、メール着信音設定、メールアドレス登録、セキュリティ設定等である。
【００１８】
図４は電話機１の各種設定に係るフローチャート図である。本フローは電話機１が待機中の状態Ｓ３００からスタートする（Ｆ４００）。
状態監視部８２は、自電話機１の動作状態が、待機中（Ｓ３００）から発信中（Ｓ３１０）または着信中（Ｓ３２０）へ、さらに通話中（Ｓ３３０）へ、通話中（Ｓ３３０）から再び待機中（Ｓ３００）へ等の各状態から次の状態への遷移を検出する毎（Ｆ４０１，Ｙｅｓ）に、制御部８は各動作状態に係る状態や日時、相手電話番号、通話時間等の情報が過去状態履歴記憶部１３に履歴情報として記憶される（Ｆ４０２）。この過去状態履歴記憶部１３の履歴情報から通話相手毎の発信回数や着信回数等の頻度情報を算出し、その頻度情報により設定項目を抽出することも可能である。
なお、Ｆ４０１で状態遷移が発生していなければ（Ｆ４０１，Ｎｏ）Ｆ４０３へ進む。
【００１９】
Ｆ４０３では、データ設定ボタン５１が押下されたか否かを判断し、押下されたと判断すると（Ｆ４０３，Ｙｅｓ）、制御部８は現在の動作状態に係る設定か否かを表示部２に表示させ、ユーザからの選択操作を待つ。ユーザの選択が現在の状態に係る設定であった場合（Ｆ４０８，Ｙｅｓ）、データ設定抽出部８１は現在の状態に対応するデータ設定項目を抽出し、当該設定項目に係る説明や選択すべきデータ項目を表示部２にて表示させ（Ｆ４０９）、入力された当該設定項目のパラメータやデータ等の設定をし（Ｆ４１１）、本フローは終了する（Ｆ４１２）。
【００２０】
ユーザの選択が過去の状態に係る設定であった場合（Ｆ４０８，Ｎｏ）、履歴を逆順に辿る等の所定の表示およびユーザからの入力操作により、ユーザが指定する過去の動作状態を特定した後、データ設定抽出部８１はその過去の動作状態に対応するデータ設定項目を抽出し、当該設定項目に係る説明や選択すべきデータ項目を表示部２にて表示させ（Ｆ４１０）、Ｆ４１１へ進む。
【００２１】
例えば、Ｆ４０１の状態遷移が待機中（Ｓ３００）から着信中（Ｓ３２０）への状態遷移であった場合、その着メロを変更する等の設定操作をしている余裕がない。しかし、ユーザはハンドセット３を上げて応答操作すると通話中（Ｓ３３０）となり、当該着信は過去の状態となっても、当該着信に係る相手電話番号等の情報は過去状態履歴記憶部１３に履歴情報として記憶されている（Ｆ４０２）。従って、ユーザは、通話が終了し待機中状態（Ｓ３００）に戻ってから、データ設定ボタン５１を押下し（Ｆ４０３，Ｙｅｓ）、例えば着メロの曲を変更したい相手からの過去の着信状態の表示を選択し（Ｆ４０８，No）、その対応付けられたデータ設定項目から着メロの変更を十字ボタン６で選択し，決定ボタン７にて設定すればよい（Ｆ４１１）。
【００２２】
次におまかせ設定ボタン５２の機能について説明する。Ｆ４０３でデータ設定ボタン５１が押下されず（Ｆ４０３，Ｎｏ）、おまかせ設定ボタン５２が押下された場合（Ｆ４０５，Ｙｅｓ）、制御部８は、現在の動作状態に係る設定か否かを表示部２に表示させ、ユーザからの選択操作を待つ。ユーザの選択が現在の状態に係る設定であった場合（Ｆ４０５，Ｙｅｓ）、データ設定抽出部８１は現在の状態に対応するおまかせデータ設定項目を抽出し、当該設定項目に係る説明や設定されるデータ等を表示部２にて表示させ（Ｆ４０６）、Ｆ４１１のステップに進む。
【００２３】
ユーザの選択が過去の状態に係る設定であった場合（Ｆ４０５，Ｎｏ）、データ設定抽出部８１は過去の状態に対応するおまかせデータ設定項目を抽出し、当該設定項目に係る説明や設定されるデータ等を表示部２にて表示させ（Ｆ４０７）、Ｆ４１１のステップに進む。
【００２４】
ここで、おまかせ設定とは、過去状態履歴記憶部１３の履歴情報を分析し、おすすめの設定項目，設定内容を制御部８が自動的に提示するものである。
例えば、現在または過去の状態が特定の相手からの着信であり、その相手の電話番号が電話帳に登録されていなかった場合、制御部８は過去状態履歴記憶部１３の履歴情報を分析し、同一相手番号からの着信回数や同一相手番号への発信回数が一定値以上であると判断するとデータ設定項目の中から電話帳登録を勧めるデータ設定画面を表示部２に表示させる（Ｆ４０６）。また、着メロについても、使用されていない曲から適宜選択されるようにすればよい。これにより、ユーザはかなり少ない選択操作だけで所期の設定を達成できる。もし、表示部２に表示された設定内容でＯＫであれば、ユーザは決定ボタン７を押下するだけで目的の設定項目を自動設定できる。
【００２５】
以上、アナログ回線，デジタル回線，ＩＰ回線等の公衆回線に接続された単体の電話機を例に説明したが、本発明はこれに限るものではない。例えば、本発明の電話装置はＰＢＸやボタン電話主装置に接続された内線電話機であってもよい。この場合、図２に示した機能ブロックの内、制御部８、設定項目抽出部８１、状態監視部８２、過去状態履歴記憶部１３等は、ＰＢＸやボタン電話主装置に内蔵されてもよい。
【図面の簡単な説明】
【００２６】
【図１】外観図
【図２】機能ブロック図
【図３】状態遷移図
【図４】フローチャート
【符号の説明】
【００２７】
１    本発明の電話機
２    表示部
３    ハンドセット
４    ダイヤルボタン
６    十字ボタン
７    決定ボタン
８    制御部
１０    音声通信制御部
１１    公衆回線接続部
１２    表示制御部
１３    過去状態履歴記憶部
５１    データ設定ボタン
５２    おまかせ設定ボタン
８１    設定項目抽出部
８２    状態監視部
【図１】
2008219682.tif 000003
【図２】
2008219682.tif 000004
【図３】
2008219682.tif 000005
【図４】
2008219682.tif 000006